【事件の表示】
　特願２０１３−２１１８７３「クリーニング装置及びそれを備えた画像形成装置」拒絶査定不服審判事件〔平成２７年　４月２０日出願公開、特開２０１５−　７５６３８、請求項の数（８）〕について、次のとおり審決する。
【結　論】
　原査定を取り消す。
　本願の発明は、特許すべきものとする。
【理　由】
第１　手続の経緯 
　本願は、平成２５年１０月９日付けの特許出願であって、原審において平成２８年１月２９日付けで拒絶理由通知がされて、同年３月２日付けで手続補正がされた後、更に同年８月１５日付けで特許法第１７条の２第１項第３号に係る最後の拒絶理由通知がされ、同年９月１４日付けで手続補正がされたが、当該手続補正に係る請求項１ないし８の発明は、特許法第２９条第２項の規定により特許出願の際独立して特許を受けることができないとして、平成２９年２月２４日付けで当該手続補正が却下されると共に、同日付けで拒絶査定（以下「原査定」という。原査定の謄本の送達（発送）日　同年３月７日。）がされ、これに対して、同年同月１０日に拒絶査定不服審判が請求されると同時に手続補正書が提出されて、特許請求の範囲を補正する手続補正がなされたものである。 
 　 
第２　原査定の概要
　原査定に係る拒絶理由の概要は、次のとおりである。
　原査定時の請求項１、２、６に係る各発明は、下記の引用文献１に記載された発明に基いて当業者が容易に発明をすることができたものであり、同じく請求項３ないし５、７、８に係る各発明は、下記の引用文献１及び２に記載された発明に基いて当業者が容易に発明をすることができたものであるから、当該各請求項に係る発明は、特許法第２９条第２項の規定により特許を受けることができない。 
　
　＜引用文献等一覧＞
１．特開２０１２−１９８２５３号公報（引用文献１）
２．特開２００４−３１７９６２号公報（引用文献２）
　
第３　審判請求時の補正について
　以下のとおり、審判請求時の補正は、特許法第１７条の２第３項ないし第６項までに規定されている要件に違反するものではない。（下線は審決で付した。）
　審判請求時にされた補正は、当該補正前の請求項１における「該シール部材の上方に間隔を隔てて配置され、前記クリーニング部材の回転中心よりも下方に接触する保護部材」という記載を、補正後において「該シール部材の上方に間隔を隔てて配置され、前記クリーニング部材の回転中心よりも下方
であって前記クリーニング部材の下端部よりも上方
　
前記保護部材は、前記先端部が水平方向よりも上向きに傾斜した状態で前記クリーニング部材に線接触するように、Ｌ字状の長手方向が前記クリーニング部材と対向する前記ハウジングの内壁面に固定されており、
　
前記保護部材の前記Ｌ字状の長手方向が固定される前記ハウジングの内壁面は、前記クリーニング部材に近づく方向に下り勾配となっており、
　これらの補正は、保護部材に関して、具体的に限定したものものであって、特許請求の範囲の減縮を目的とするものである。
　また、上記の補正事項は、願書に最初に添付された明細書の段落【００２９】、【００３０】、【００３７】、【００３８】、及び図２ないし５に開示された事項の範囲において補正をするもので、新規事項を追加するものではない。
　そして、以下の「第４　本願の発明」から「第６　対比・判断」までに示されているように、補正後の請求項１ないし８に係る発明は、独立特許要件を満たすものである。
　
第４　本願の発明  
　本願の請求項１ないし８に係る発明（以下それぞれ「本願発明１」ないし「本願発明８」という。）は、平成２９年３月１０日付けの手続補正書で補正された特許請求の範囲の請求項１ないし８に記載された事項により特定される、次のとおりのものと認める。
　「【請求項１】 
　外周面にトナー像が担持される円筒状の像担持体の上方に配置され、前記像担持体との対向面に開口が形成されるハウジングと、
　該ハウジングの開口部近傍に配置され、前記像担持体表面に接触しながら前記像担持体との当接面において同一方向に回転することで前記像担持体上に付着した残留トナーを前記像担持体の回転方向下流側に除去するクリーニング部材と、
　前記像担持体の回転方向に対し前記クリーニング部材よりも下流側において前記像担持体の外周面に当接し、前記像担持体上に付着した残留トナーを除去するクリーニングブレードと、
　前記ハウジング内の廃トナーを回収して前記ハウジングの外部へ搬送する回収部材と、
　前記像担持体の回転方向に対し前記ハウジングの上流側の開口縁に配設され、前記クリーニング部材よりも上流側において前記像担持体の外周面に接触することにより前記ハウジングと前記像担持体との隙間からの廃トナーの漏出を防止するシール部材と、
　該シール部材の上方に間隔を隔てて配置され、前記クリーニング部材の回転中心よりも下方であって前記クリーニング部材の下端部よりも上方に接触する保護部材と、
を備え、
　前記保護部材は、前記クリーニング部材に接触する先端部が屈曲した断面視Ｌ字状のシート材であり、
　前記保護部材は、前記先端部が水平方向よりも上向きに傾斜した状態で前記クリーニング部材に線接触するように、Ｌ字状の長手方向が前記クリーニング部材と対向する前記ハウジングの内壁面に固定されており、
　前記保護部材の前記Ｌ字状の長手方向が固定される前記ハウジングの内壁面は、前記クリーニング部材に近づく方向に下り勾配となっており、
　前記先端部が前記シール部材と重なる位置に配置されるとともに、前記先端部にトナーが堆積することを特徴とするクリーニング装置。
　【請求項２】
　前記クリーニング部材に対する前記保護部材のオーバーラップ量が０.０５〜１．０ｍｍであることを特徴とする請求項１に記載のクリーニング装置。
　【請求項３】
　前記クリーニング部材が、回転軸と、該回転軸の周面に放射状に立設された多数のブラシ繊維とを有するクリーニングブラシであることを特徴とする請求項１又は請求項２に記載のクリーニング装置。
　【請求項４】
　前記ブラシ繊維の先端と接触するように配置され、前記クリーニングブラシに付着したトナーを払い落とすフリッカーを設けたことを特徴とする請求項３に記載のクリーニング装置。
　【請求項５】
　前記ハウジング内を前記クリーニングブラシの回転空間と前記回収部材によるトナーの回収経路とに区画する仕切部材を設けたことを特徴とする請求項３又は請求項４に記載のクリーニング装置。
　【請求項６】
　前記クリーニング部材が、前記像担持体表面の残留トナーを除去するとともに残留トナーを用いて前記像担持体表面を摺擦して研磨する摺擦ローラーであることを特徴とする請求項１又は請求項２に記載のクリーニング装置。
　【請求項７】
　前記ハウジング内を前記摺擦ローラーの回転空間と前記回収部材によるトナーの回収経路とに区画するとともに前記摺擦ローラーの外周面に接触するように配置され、前記摺擦ローラーの外周面に付着したトナーを掻き落とすスクレーパーを設けたことを特徴とする請求項６に記載のクリーニング装置。
　【請求項８】
　請求項１乃至請求項６のいずれかに記載のクリーニング装置が搭載された画像形成装置。」
　
第５　引用文献、引用発明等
１．引用文献１について
　原査定の拒絶の理由に引用された、本願の出願前の平成２４年１０月１８日に頒布された刊行物である引用文献１（特開２０１２−１９８２５３号公報）には、図面と共に次の事項が記載されている。（以下の下線は、いずれも審決で付した。引用文献２についても同様である。） 
　「【０００１】
　本発明は、転写の際に像担持体の表面に残った残留トナー等を除去するクリーニング装置及びこれを搭載した画像形成装置に関するものである。」
　「【０００６】
　ところで、クリーニング装置には、感光体ドラムの上方に配置される上面クリーニングレイアウトシステムがある。具体的には、クリーニングローラーを収容したハウジングが下方に向いて開口しており、クリーニングブレードはこの開口に設置される。換言すれば、クリーニングブレードで除去した残留トナーはハウジング内に集められるものの、その開口が下方を向いている。」
　「【００１０】
　このように、上面クリーニングレイアウトシステムは、単にトナー受け部材を設置するのみでは、ハウジング内の残留トナーがハウジング外に飛散や落下するとの課題が依然として残されている。
  そこで、本発明の目的は、上記課題を解消し、残留トナーや紙粉をトナー受け部材の先端付近に溜めず、ハウジング内の残留トナーによるクリーニング装置周辺の汚染を防止できる
クリーニング装置及びこれを搭載した画像形成装置
　「【００１１】
　上記目的を達成するための第１の発明は、
トナー像が形成される像担持体の表面に上方から圧接し、残留トナーを用いて像担持体表面を研磨するクリーニングローラーと、像担持体の回転方向でみて像担持体表面とクリーニングローラーとの当接位置よりも上流側にて、クリーニングローラーを収容したハウジングに設けられており、その先端が像担持体表面に当接してハウジング内の残留トナーによるハウジング外への飛散・落下を防止するトナー受け部材と、ハウジング内にてトナー受け部材の上方に近接して設けられており、その先端がクリーニングローラーに当接して残留トナーによるトナー受け部材への圧力を軽減する圧軽減部材とを具備する
　「【００２６】
　この画像形成部９の右方には露光部８やトナーコンテナ１１が備えられており、図示しないコントローラーの信号に基づき、露光部８からは画像形成部９の
感光体ドラム（像担持体）３０
　「【００２８】
　ところで、上述した本実施例の
感光体ドラム３０は
φ４０ｍｍ程度の直径で形成され
図２の時計回りに駆動する
　「【００３１】
　本実施例の
クリーニング装置４０は
感光体ドラム３０の上部に配置されている
　詳しくは、本実施例の
クリーニング装置４０は
感光体ドラム３０に向けて開口したハウジング４１を備えており、このハウジング４１
に、クリーニングローラー４４、クリーニングブレード４６やトナー回収部５０を有している
【００３２】
　具体的には、
ハウジング４１は下向きに開口しており
　本実施例の
クリーニングローラー４４は、ハウジング４１の開口のうち前壁４２近傍にて感光体ドラム３０に上方から圧接しており
【００３３】
　また、この
クリーニングローラー４４は
図２の反時計回りに駆動し
　これにより、
クリーニングローラー４４は
感光体ドラム３０
に付着する残留トナーなどを除去する
　「【００３５】
　次に、
クリーニングブレード４６は
感光体ドラム３０の回転方向でみてクリーニングローラー４４の下流側に配置され
【００３６】
　そして、このエッジが
感光体ドラム３０に対してカウンター方向で接し、感光体ドラム３０の表面に付着した研磨剤を含む残留トナーなどを掻き取っている
　これらクリーニングローラー４４やクリーニングブレード４６によって感光体ドラム３０の表面から掻き取られた残留トナーは、クリーニングローラー４４の摺擦面に付着する。」
　「【００３９】
　・・・クリーニングローラー４４から脱落した残留トナー等はトナー回収室５０から回収される。詳しくは、
トナー回収部５０は
スクリューを有する
【００４０】
　この
スクリューは
駆動モーターに連結されている
残留トナーは、スクリューを経由して回収容器
に集められる
　「【００４１】
　ところで、本実施例の
クリーニング装置４０はトナー受けシート（トナー受け部材）６０を備えており、ハウジング４１内の残留トナーがハウジング４１外に漏れ出るのを防止する
　
トナー受けシート６０は、感光体ドラム３０の回転方向でみてクリーニングローラー４４と感光体ドラム３０とのニップ領域よりも上流側にて、ハウジング４１の前壁４２に設けられる
【００４２】
　具体的には、図３にも示されるように、
ハウジング４１の前壁４２には断面視略Ｌ字状の保持板６３が設置されている。この保持板６３は、その上端６４が前壁４２に接合あるいは締結され、前壁４２に沿って延びてからハウジング４１の開口に向けて折れ曲がっており、この折れ曲がり部分に、前壁４２の下端に対向する上面６６と、感光体ドラム３０に対向する下面６７とを有している
【００４３】
　本実施例のトナー受けシート６０は、厚さ０．１ｍｍ程度の例えば熱可塑性ウレタンシートで形成され、クリーニングローラー４４等と同様に、感光体ドラム３０の回転軸線方向に沿って延びている。
　この
トナー受けシート６０の根元側が
保持板６３の下側から下面６７に貼り付けられる
【００４４】
　一方、
トナー受けシート６０の先端６１は感光体ドラム３０の表面に接触可能に構成されている
　つまり、
この先端６１が感光体ドラム３０の表面に当接すると、ハウジング４１内、特に、前壁４２とクリーニングローラー４４との間に存在した残留トナーが感光体ドラム３０の表面に向けて飛散や落下し難くなる
　「【００４５】
　ここで、本実施例の
クリーニング装置４０は
圧軽減シート（圧軽減部材）７０も備えている
　本実施例の圧軽減シート７０は、厚さ０．１ｍｍ程度の例えば高分子ポリエチレンシートで形成されており、感光体ドラム３０の回転軸線方向に沿って延びている。
【００４６】
　これら
圧軽減シート７０とトナー受けシート６０とは保持板６３の厚み分だけ離れて対峙している
　そして、この
圧軽減シート７０の根元側は
保持板６３の上側から上面６６に貼り付けられ
【００４７】
　さらに、
圧軽減シート７０の先端７１は、トナー受けシート６０の先端６１の上方を覆うように配置されている
圧軽減シート７０は、トナー受けシート６０を前壁４２とクリーニングローラー４４との間に存在した残留トナーから保護しており、
　「【００５８】
　この
圧軽減シート７０は、残留トナーによるハウジング４１内の圧力を受け止めている
　また、引用文献１の図２、３から、
保持板６３はハウジング４１の開口に向けて水平方向よりも下向きに傾斜した状態で折れ曲がっていて、圧軽減シート７０はこの下向きに傾斜した部分に貼り付けられること
圧軽減シート７０はクリーニングローラー４４の回転中心よりも下方であって、クリーニングローラー４４の下端部よりも上方に接触している
 　 
　上記の記載事項を総合すると、引用文献１には、次の発明（以下「引用発明」という。）が記載されていると認定できる。 
　「画像形成装置に搭載するクリーニング装置４０であって、
　クリーニング装置４０はφ４０ｍｍ程度の直径で形成される像担持体（感光体ドラム３０）の上部に配置され、感光体ドラム３０に向けて下向きに開口したハウジング４１を備えており、このハウジングにクリーニングローラー４４、クリーニングブレード４６やトナー回収部５０を有しており、
　更に、像担持体の回転方向でみて像担持体表面とクリーニングローラーとの当接位置よりも上流側にて、ハウジングに設けられており、その先端が像担持体表面に当接して、ハウジング内の残留トナーがハウジング外に漏れ出て飛散・落下するのを防止するトナー受けシート（トナー受け部材６０）と、ハウジング内にてトナー受け部材の上方に近接して設けられており、その先端がクリーニングローラーに当接して残留トナーによるトナー受け部材への圧力を軽減する圧軽減シート（圧軽減部材７０）とを具備し、
　像担持体（感光体ドラム３０）は、時計回りに駆動し、クリーニングローラー４４は、反時計回りに駆動し、クリーニングローラー４４は像担持体の表面に上方から圧接して、感光体ドラム３０に付着する残留トナーなどを除去し、
　クリーニングブレード４６は像担持体（感光体ドラム３０）の回転方向でみてクリーニングローラー４４の下流側に配置されて、感光体ドラム３０に対してカウンター方向で接し、感光体ドラム３０の表面に付着した残留トナーなどを掻き取り、
　トナー回収部５０は駆動モーターに連結されているスクリューを有し、残留トナーは、スクリューを経由して回収容器に集められ、
　トナー受けシート６０は、感光体ドラム３０の回転方向でみてクリーニングローラー４４と感光体ドラム３０とのニップ領域よりも上流側にて、ハウジング４１の前壁４２に設けられ、トナー受けシート６０の先端６１は感光体ドラム３０の表面に接触可能に構成されており、また、圧軽減シート７０の先端７１は、トナー受けシート６０の先端６１の上方を覆うように配置されて、トナー受けシート６０を前壁４２とクリーニングローラー４４との間に存在した残留トナーから保護しており、
　ハウジング４１の前壁４２には断面視略Ｌ字状の保持板６３が設置されていて、この保持板６３は、その上端６４が前壁４２に沿って延びてからハウジング４１の開口に向けて水平方向よりも下向きに傾斜した状態で折れ曲がっており、この折れ曲がり部分に、前壁４２の下端に対向する上面６６と、感光体ドラム３０に対向する下面６７とを有し、トナー受けシート６０の根元側が保持板６３の下側から下面６７に貼り付けられ、圧軽減シート７０とトナー受けシート６０とは保持板６３の厚み分だけ離れて対峙し、圧軽減シート７０の根元側は保持板６３の上側から上面６６に貼り付けられ、圧軽減シート７０はクリーニングローラー４４の回転中心よりも下方であって前記クリーニングローラー４４の下端部よりも上方に接触し、残留トナーによるハウジング４１内の圧力を受け止める
　クリーニング装置。」
２．引用文献２について 
　また、原査定の拒絶の理由に引用された、本願の出願前の平成１６年１１月１１日に頒布された刊行物である引用文献２（特開２００４−３１７９６２号公報）には図面と共に次の事項が記載されている。
　「【０００１】
【発明の属する技術分野】
本発明は、複写機、ファクシミリ、プリンターなどの
電子写真法による画像形成装置に使用されるクリーニング装置
　「【００１９】
本発明において、
クリーニング装置１は、クリーニングハウジング５内にファーブラシ１０とクリーニングブレード１１とを備えており、ファーブラシ１０は、感光体ドラム２の回転方向に対して、クリーニングブレード１１よりも上流側に配置されている
【００２０】
クリーニングブレード１１は、例えばポリウレタンゴムなどの弾性材料からなっており、ハウジング５内に取り付けられているホルダー１３に装着されており、ブレード１１の先端が感光体ドラム２表面に圧接されている。
【００２１】
ファーブラシ１０は、ブラシ先端が感光体ドラム２表面に当接するように設けられており、ニップ部で感光体ドラム２と同方向に回転するように構成されている。即ち、
トナー像転写後の感光体ドラム２表面に付着残存しているトナー或いは紙粉等の異物は、先ずファーブラシ１０によって解され、感光体ドラム２表面から浮いた状態となり、このようなトナー等は、次いで、クリーニングブレード１１によって確実に掻き取られ、ハウジング５内に回収される
　
　上記のとおり、引用文献２には、「電子写真法による画像形成装置に使用されるクリーニング装置において、ファーブラシ１０とクリーニングブレード１１とを備えており、トナー像転写後の感光体ドラム２表面に付着残存しているトナー或いは紙粉等の異物は、先ずファーブラシ１０によって解され、感光体ドラム２表面から浮いた状態となり、このようなトナー等は、次いで、クリーニングブレード１１によって確実に掻き取られる」という技術事項（以下「引用文献２記載の事項」という。）が記載されている。
 
第６　対比・判断　
１．本願発明１について 
（１）対比 
　本願発明１と引用発明とを対比する。
　両者はいずれも画像形成装置に搭載する「クリーニング装置」である点において共通しており、後者の「像担持体（感光体ドラム３０）」は、その形状や作用・機能等からみて、前者の「像担持体」に相当し、以下同様に、「ハウジング４１」は「ハウジング」に、「クリーニングローラー４４」は「クリーニング部材」に、「クリーニングブレード４６」は「クリーニングブレード」に、「トナー回収部５０」は「回収部材」に、それぞれ相当しており、上記の形状や作用・機能等のほか、それぞれの部材の装置内の配置は、上記の互いに相当するもの同士の間で変わるところがない。また、後者の「残留トナー」は、前者の「『残留トナー』及び『廃トナー』」に相当する。
　更に、後者の「ハウジング内の残留トナーがハウジング外に漏れ出て飛散・落下するのを防止するトナー受けシート（トナー受け部材６０）」は、前者の「前記ハウジングと前記像担持体との隙間からの廃トナーの漏出を防止するシール部材」に相当し、同様に「（トナー受けシート６０を残留トナーから保護している）圧軽減シート７０」は、「保護部材」に相当する。
　また、後者のトナー受けシート６０（シール部材）は、像担持体の回転方向でみて像担持体表面とクリーニングローラーとの当接位置よりも上流側にて、ハウジング、具体的にはハウジング４１の前壁４２に設置された断面視略Ｌ字状の保持板６３に設けられて、その先端が像担持体表面に当接していることから、トナー受けシート６０（シール部材）は、「感光体ドラム３０の回転方向でみてクリーニングローラー４４と感光体ドラム３０とのニップ領域よりも上流側（像担持体の回転方向に対し前記ハウジングの上流側）の開口縁に配設され、感光体ドラム３０の表面に接触（像担持体の外周面に接触）する」といえる。
　また、後者の圧軽減シート７０（保護部材）は、ハウジング４１の前壁４２に設置された断面視略Ｌ字状の保持板６３の上側から上面６６に貼り付けられたもので、圧軽減シート７０と保持板６３の下側から下面６７に貼り付けられたトナー受けシート６０とは保持板６３の厚み分だけ離れて対峙しており、クリーニングローラー４４の回転中心よりも下方であって前記クリーニングローラー４４の下端部よりも上方に接触しているから、圧軽減シート７０（保護部材）は、「トナー受け部材６０（シール部材）の上方に間隔を隔てて配置され、クリーニングローラー４４（クリーニング部材）の回転中心よりも下方であってクリーニングローラー４４（クリーニング部材）の下端部よりも上方に接触する」といえる。
　また、後者の圧軽減シート７０（保護部材）は、ハウジング４１の前壁４２に設置された断面視略Ｌ字状の保持板６３の上側から上面６６に貼り付けられて、トナー受けシート６０を前壁４２とクリーニングローラー４４との間に存在した残留トナーから保護しており、また、後者のトナー受けシート６０（シール部材）は、像担持体の回転方向でみて像担持体表面とハウジングに有するクリーニングローラー（クリーニング部材）との当接位置よりも上流側にて、ハウジング、具体的にはハウジング４１の前壁４２に設置された断面視略Ｌ字状の保持板６３に設けられていることから、圧軽減シート７０（保護部材）は、「クリーニングローラー（クリーニング部材）と対向する前記ハウジングの内壁面に固定されている」といえる。
　また、後者は、ハウジング４１の前壁４２には断面視略Ｌ字状の保持板６３が設置されていて、この保持板６３は、その上端６４が前壁４２に沿って延びてからハウジング４１の開口に向けて水平方向よりも下向きに傾斜した状態で折れ曲がっているから、「圧軽減シート７０（保護部材）が固定される前記ハウジングの内壁面は、前記クリーニングローラー４４（クリーニング部材）に近づく方向に下り勾配となっている」といえる。
  　 
　したがって、両者は、  
　「外周面にトナー像が担持される円筒状の像担持体の上方に配置され、前記像担持体との対向面に開口が形成されるハウジングと、
　該ハウジングの開口部近傍に配置され、前記像担持体表面に接触しながら前記像担持体との当接面において同一方向に回転することで前記像担持体上に付着した残留トナーを前記像担持体の回転方向下流側に除去するクリーニング部材と、
　前記像担持体の回転方向に対し前記クリーニング部材よりも下流側において前記像担持体の外周面に当接し、前記像担持体上に付着した残留トナーを除去するクリーニングブレードと、
　前記ハウジング内の廃トナーを回収して前記ハウジングの外部へ搬送する回収部材と、
　前記像担持体の回転方向に対し前記ハウジングの上流側の開口縁に配設され、前記クリーニング部材よりも上流側において前記像担持体の外周面に接触することにより前記ハウジングと前記像担持体との隙間からの廃トナーの漏出を防止するシール部材と、
　該シール部材の上方に間隔を隔てて配置され、前記クリーニング部材の回転中心よりも下方であって前記クリーニング部材の下端部よりも上方に接触する保護部材と、
を備え、
　保護部材は、前記クリーニング部材と対向する前記ハウジングの内壁面に固定されており、
　前記保護部材が固定される前記ハウジングの内壁面は、前記クリーニング部材に近づく方向に下り勾配となっており、
　先端部が前記シール部材と重なる位置に配置されるとともに、前記先端部にトナーが堆積するクリーニング装置。」  
　の点で一致し、以下の点で相違している。 
 　 
　［相違点１］　本願発明１では、保護部材は、「前記クリーニング部材に接触する先端部が屈曲した断面視Ｌ字状のシート材であり」、「前記先端部が水平方向よりも上向きに傾斜した状態」で、「Ｌ字状の長手方向が」ハウジングの内壁面に固定されるのに対し、引用発明では、圧軽減シート７０は水平方向よりも下向きに傾斜した状態で貼り付けられる点。
　［相違点２］　本願発明１において、保護部材の先端部がクリーニング部材に「線接触」するのに対し、引用発明において、圧軽減シート７０（保護部材）の先端部はクリーニングローラー４４（クリーニング部材）に接触するものの、線接触であるか否かは明確ではない点。
 　 
（２）相違点についての判断 
　上記の相違点１について検討する。
　上記相違点１に係る本願発明１の発明特定事項が、当業者にとって設計事項であるとする根拠はない。
　なお、引用文献２記載の事項にも、上記の相違点１に係る「保護部材は、前記クリーニング部材に接触する先端部が屈曲した断面視Ｌ字状のシート材であり」、「前記先端部が水平方向よりも上向きに傾斜した状態」で、「Ｌ字状の長手方向」がハウジングの内壁面に固定されるという本願発明１の発明特定事項を開示あるいは示唆されていない。
　したがって、上記相違点２について検討するまでもなく、本願発明１は、引用発明に基づいて当業者が容易に発明をすることができたものとはいえない。
 　 
２．本願発明２ないし本願発明８について 
　本願発明２ないし本願発明７は、本願発明１を引用し、これを更に減縮した発明であり、また、本願発明８本願発明１ないし６に係るクリーニング装置が搭載された「画像形成装置」の発明であって、これらの発明も、本願発明１の上記相違点１に係る発明特定事項を備えるものであるから、本願発明１についてと同様の理由で、引用発明、または引用発明及び引用文献２記載の事項に基づいて、当業者が容易に発明をすることができたものとはいえない。　
　
第７　原査定について
　上記「第６」のとおりであるから、本願発明１ないし８は、当業者であっても、拒絶査定において引用された引用文献１、また引用文献１及び２に基づいて、容易に発明できたものとはいえない。
　したがって、原査定の理由を維持することはできない。
第８　むすび 
　以上のとおりであるから、原査定の理由によっては、本願を拒絶することはできない。
　また、他に本願を拒絶すべき理由を発見しない。 
 　 
　よって、結論のとおり審決する。